(57)【要約】【課題】視聴者の気分あるいは興味に合致する番組の視聴を提案する映像出力装置を得ること。【解決手段】映像出力装置１は、人物が映像表示部３に表示された番組を視聴した時に検出した人物の表情に対応付けて、当該視聴された番組を視聴履歴として視聴履歴ＤＢ３０２に記憶し、記憶した視聴済み番組のうち、対応付けられている表情が現在検出されている表情と一致する視聴済み番組を検出し、検出した視聴済み番組の続編となる番組、同ジャンルの番組を、番組表ＤＢ３０３のデータから抽出して視聴を提案する。【選択図】図２
2014150434.tif 000002
【特許請求の範囲】
【請求項１】
番組の放送信号を入力する入力部と、
番組に関するイベント情報である番組表データを取得する番組表取得部と、
前記入力部から入力された放送信号を処理した番組の映像信号を映像表示部へ出力する映像出力部と、
前記映像表示部に表示された番組を視聴する人物の顔を撮像する撮像部と、
前記撮像部で撮像された画像に基づいて、前記顔の表情を検出する表情検出部と、
前記人物が前記映像表示部に表示された番組を視聴した時に前記表情検出部で検出された表情に対応付けて、当該視聴された番組を視聴履歴として記憶する視聴履歴記憶部と、
前記視聴履歴記憶部に記憶された視聴済み番組のうち、対応付けられている表情が前記表情検出部によって現在検出されている表情と一致する視聴済み番組を検出し、前記検出した視聴済み番組の続編となる番組、および前記検出した視聴済み番組と同ジャンルの番組の少なくとも一方の番組を前記番組表取得部で取得された前記番組表データから抽出する推奨番組抽出部と、
前記推奨番組抽出部で抽出された番組の視聴を提案する提案制御部と、
を備えることを特徴とする映像出力装置。
【請求項２】
請求項１に記載の映像出力装置において、
番組を視聴する人物の視線が前記映像表示部に向いているか否かを検出する視線検出部をさらに備え、
前記視聴履歴記憶部はさらに、前記視聴された番組の視聴時間のうち前記視聴する人物の視線が前記映像表示部に向いていた注視時間を前記視聴履歴に記憶し、
前記推奨番組抽出部は、前記視聴履歴記憶部に記憶された視聴済み番組のうち、対応付けられている表情が前記表情検出部によって現在検出されている表情と一致する視聴済み番組であって、かつ、その視聴時間において前記注視時間の占める比率が所定値以上であった視聴済み番組を検出し、前記検出した視聴済み番組の続編となる番組、および前記検出した視聴済み番組と同ジャンルの番組の少なくとも一方の番組を前記番組表取得部で取得された前記番組表データから抽出することを特徴とする映像出力装置。
【請求項３】
請求項１または２に記載の映像出力装置において、
前記表情検出部はさらに、人物が前記映像表示部に表示された番組を視聴した時に前記撮像部で撮像された画像に基づいて、笑顔の出現回数を求め、
前記視聴履歴記憶部はさらに、前記視聴された番組の視聴時間における前記笑顔の出現回数を前記視聴履歴に記憶し、
前記制御部は、前記推奨番組抽出部によって抽出された番組の視聴を提案する番組提案メッセージを映像信号に重畳して前記映像表示部へ出力するように前記映像出力部を制御し、前記推奨番組抽出部によって複数の番組が抽出された場合には、前記番組提案メッセージにおいて、前記笑顔の出現回数が多い視聴済み番組の続編となる番組、および前記笑顔の出現回数が多い視聴済み番組と同ジャンルの番組を上位として提案するように前記映像出力部を制御することを特徴とする映像出力装置。
【請求項４】
請求項１〜３のいずれか一項に記載の映像出力装置において、
前記入力部は、複数の放送局からの放送をそれぞれ受信する放送受信部によって受信された複数の放送信号、または前記複数の放送信号を記憶した放送信号蓄積部から読出された複数の放送信号を入力する、ことを特徴とする映像出力装置。
【発明の詳細な説明】
【技術分野】
【０００１】
本発明は、映像コンテンツを出力する映像出力装置に関する。
【背景技術】
【０００２】
提供される複数の番組に対する視聴者の必要度を推定し、推定した必要度に基づいて視聴者へ供給する番組を選択し、選択した番組データを記録し、記録した複数の番組から必要度の高いと推定される番組を見出し画面で案内し、見出し画面上から視聴者が所望の番組を選択できるように視聴者からの指示操作を受け付ける映像出力装置が知られている（特許文献１参照）。
【先行技術文献】
【特許文献】
【０００３】
【特許文献１】特開平９−３１２８１１号公報
【発明の概要】
【発明が解決しようとする課題】
【０００４】
従来の技術では、視聴者のパーソナルな嗜好と番組の属性を示すデータとの相関と、視聴者の視聴履歴のデータとに基づいて必要度が推定される。このため、例えば視聴者の気分の良し悪しにかかわらず一定の番組が案内されてしまい、案内された番組が視聴者の気分に合致しないということがある。
【課題を解決するための手段】
【０００５】
本発明による映像出力装置は、番組の放送信号を入力する入力部と、番組に関するイベント情報である番組表データを取得する番組表取得部と、入力部から入力された放送信号を処理した番組の映像信号を映像表示部へ出力する映像出力部と、映像表示部に表示された番組を視聴する人物の顔を撮像する撮像部と、撮像部で撮像された画像に基づいて、顔の表情を検出する表情検出部と、人物が映像表示部に表示された番組を視聴した時に表情検出部で検出された表情に対応付けて、当該視聴された番組を視聴履歴として記憶する視聴履歴記憶部と、視聴履歴記憶部に記憶された視聴済み番組のうち、対応付けられている表情が表情検出部によって現在検出されている表情と一致する視聴済み番組を検出し、検出した視聴済み番組の続編となる番組、および検出した視聴済み番組と同ジャンルの番組の少なくとも一方の番組を、番組表取得部で取得された番組表データから抽出する推奨番組抽出部と、推奨番組抽出部で抽出された番組の視聴を提案する提案制御部と、を備えることを特徴とする。
【発明の効果】
【０００６】
本発明による映像出力装置では、視聴者の気分あるいは興味に合致する番組の視聴を提案できる。
【図面の簡単な説明】
【０００７】
【図１】本発明の一実施の形態によるデジタルテレビジョンを例示する外観斜視図である。
【図２】デジタルテレビジョンの信号処理系を例示するブロック図である。
【図３】表情履歴データベースのデータ構造を示す模式図である。
【図４】視聴履歴データベースのデータ構造を示す模式図である。
【図５】番組表データベースのデータ構造を示す模式図である。
【図６】制御部の構成を説明する図である。
【図７】ＬＣＤパネルの画面に表示された番組提案メッセージを例示する図である。
【発明を実施するための形態】
【０００８】
以下、図面を参照して本発明を実施するための形態について説明する。図１は、本発明の一実施の形態によるデジタルテレビジョン１を例示する外観斜視図である。図１において、デジタルテレビジョン１は、正面視（前面に対する平面視）で、長方形状の外観を呈している。デジタルテレビジョン１は、筐体２と、ＬＣＤ（Liquid  Crystal  Display）パネル３とを備える。ＬＣＤパネル３は、後述する映像処理部２０（図２）から映像信号を受け取り、静止画や動画等の映像を表示する。また、筐体２は、支持部４によって支持される。
【０００９】
図２は、デジタルテレビジョン１の信号処理系を例示するブロック図である。図２において、デジタルテレビジョン１は、アンテナ１２で受信したデジタルテレビジョン放送信号を、入力端子１３を介して受信部を構成するチューナ部１４に供給することにより、所望のチャンネルの放送信号を選局し得る。デジタルテレビジョン１は、チューナ部１４で選局された放送信号を、復調復号部１５に供給してデジタルの映像信号および音声信号等に復元した後、入力信号処理部１６に出力する。なお、本実施形態のチューナ部１４は、デジタルテレビジョン放送信号を受信するチューナを複数台（例えば３台）有しており、複数の異なるチャンネルの放送信号を同時に受信し得る。
【００１０】
入力信号処理部１６は、復調復号部１５から供給されたデジタルの映像信号および音声信号に対してそれぞれ所定のデジタル信号処理を施す。また、入力信号処理部１６は、チューナ部１４で選局された放送信号から番組名、出演者、開始時刻などのイベント情報を記述したテーブルであるＥＩＴ（Event  Information  Table）を分離する。入力信号処理部１６で分離されたＥＩＴは、番組表データとして制御部２３に入力される。ＥＩＴには、番組にかかるイベント情報である番組のタイトル情報やジャンル情報、放送日時、出演者情報などの放送内容などの番組に関連する情報が含まれている。
【００１１】
また、入力信号処理部１６は、デジタルの映像信号を合成処理部１７に出力し、デジタルの音声信号を音声処理部１８に出力する。合成処理部１７は、入力信号処理部１６から供給されるデジタルの映像信号に、ＯＳＤ（On  Screen  Display）信号生成部１９で生成される字幕、ＧＵＩ（Graphical  User  Interface）、ＯＳＤなどの重畳用映像信号であるＯＳＤ信号を重畳して出力する。
【００１２】
デジタルテレビジョン１は、合成処理部１７から出力されたデジタルの映像信号を、映像処理部２０に供給する。映像処理部２０は、入力されたデジタルの映像信号を、出力部として機能するＬＣＤパネル３で表示可能なフォーマットの映像信号に変換する。デジタルテレビジョン１は、映像処理部２０から出力された映像信号を、ＬＣＤパネル３に供給して映像表示させる。
【００１３】
音声処理部１８は、入力されたデジタルの音声信号を、出力部として機能するスピーカ２２で再生可能なフォーマットのアナログ音声信号に変換する。そして、この音声処理部１８から出力されたアナログ音声信号が、スピーカ２２に供給されることにより音声再生に供される。図２に示すように、上述した合成処理部１７、音声処理部１８、ＯＳＤ信号生成部１９、および映像処理部２０は、出力信号処理部２１を構成する。
【００１４】
デジタルテレビジョン１はさらに、図１に示すように、映像出力部として機能するＬＣＤパネル３の近傍にカメラ装置６０を搭載する。このカメラ装置６０は、デジタルテレビジョン１に対向する人物、すなわち視聴者の顔を撮像可能な位置に設けられている。
【００１５】
ここで、デジタルテレビジョン１は、上記した各種の受信動作を含むその全ての動作を制御部２３によって統括的に制御する。制御部２３は、ＣＰＵ（Central  Processing  Unit）２３ａおよびメモリ部２３ｂを内蔵する。メモリ部２３ｂは、主としてＣＰＵ２３ａが実行する制御プログラムを格納したＲＯＭ（Read  Only  Memory）と、該ＣＰＵ２３ａに作業エリアを提供するためのＲＡＭ（Random  Access  Memory）と、各種の設定情報および制御情報等が格納される不揮発性メモリとを含む。
【００１６】
また、制御部２３にはディスクドライブ部２７が接続されている。ディスクドライブ部２７は、例えばＤＶＤ（Digital  Versatile  Disk）等の光ディスク２８を着脱自在とするもので、装着された光ディスク２８に対してデジタルデータの記録や、光ディスク２８に記録されているデジタルデータの再生を行なう機能を有する。
【００１７】
また、制御部２３には、ＨＤＤ（Hard  Disk  Drive）３０が接続されている。ＨＤＤ（Hard  Disk  Drive）３０は、ハードディスクに各種データを記憶することにより、表情履歴データベース（表情履歴ＤＢ）３０１と、視聴履歴データベース（視聴履歴ＤＢ）３０２と、番組表データベース（番組表ＤＢ）３０３と、して機能する。
【００１８】
図３は、表情履歴データベース３０１のデータ構造を示す模式図である。図３に示すように、表情履歴データベース３０１は、番組視聴時においてカメラ装置６０で撮像された視聴者の顔の画像から公知の表情検出処理によって検出された所定時間ごとの表情データと、その表情履歴データのＩＤ（表情履歴ＩＤ）とを対応付けて記憶する表情テーブル３０１１を有する蓄積型のデータベースである。
【００１９】
表情検出は、カメラ装置６０で撮像された画像に基づいて制御部２３が行う。制御部２３は、顔の画像に含まれる目、口、しわの形状、口の開閉具合など、顔全体に分布する特徴に基づいて笑顔、怒り顔、悲しみ顔などを検出する。例えば、目尻が下がっている、口角が上がっている、口が開いている、ほうれい線が明瞭であるなどの特徴が顔画像から検出された場合、その顔画像の表情は笑顔であると判断する。また例えば、目尻が上がっている、口角が下がっている、眉間のしわが明瞭であるなどの特徴が顔画像から検出された場合、その顔画像の表情は怒り顔であると判断する。
【００２０】
図４は、視聴履歴データベース３０２のデータ構造を示す模式図である。図４に示すように、視聴履歴データベース３０２は、視聴履歴テーブル３０２１と、番組テーブル３０２２と、チューナテーブル３０２３と、チャンネルテーブル３０２４と、を有する蓄積型のデータベースである。視聴履歴テーブル３０２１は、視聴履歴ＩＤに対応付けて、上記番組視聴の際に検出した視聴者の表情履歴ＩＤと、視聴番組を示す番組ＩＤと、番組の視聴時間と、視聴の際に検出した注視時間とを記憶する。番組の視聴時間は、番組の映像をＬＣＤパネル３へ出力した時間である。このうち、視聴者の視線がＬＣＤパネル３へ向いていた時間を注視時間とする。
【００２１】
視聴者の視線は、カメラ装置６０で撮像された画像に基づいて制御部２３が検出する。制御部２３は、公知の視線検出技術を用いることにより、例えば視聴者の目の瞳孔で反射される像に基づいて視線方向を検出する。
【００２２】
番組テーブル３０２２は、視聴番組を示す番組ＩＤに対応付けて、視聴番組の詳細情報を示す番組データを記憶する。番組データは、受信したチューナのチューナＩＤと、視聴番組のチャンネルを示すチャンネルＩＤと、視聴番組のジャンルと、視聴番組のタイトルと、視聴番組の開始日時と、視聴番組の終了日時とを含んでいる。チューナテーブル３０２３は、チューナＩＤに対応付けてチューナ番号を記憶する。チャンネルテーブル３０２４は、チャンネルＩＤに対応付けてチャンネル番号を記憶する。
【００２３】
図５は、番組表データベース３０３のデータ構造を示す模式図である。図５に示すように、番組表データベース３０３は、番組テーブル３０３１と、チューナテーブル３０３２と、チャンネルテーブル３０３３と、を有する更新型のデータベースである。番組テーブル３０３１は、提供（放送）される番組を示す番組ＩＤに対応付けて、番組の詳細情報を示す番組データを記憶する。番組データは、受信したチューナのチューナＩＤと、番組のチャンネルを示すチャンネルＩＤと、番組の開始日時と、番組の終了日時と、番組のジャンルと、番組のタイトルとを含む。チューナテーブル３０３２は、チューナＩＤと、チューナ番号と、チューナ名とを対応付けて記憶する。チャンネルテーブル３０３３は、チャンネルＩＤと、チャンネル番号と、チャンネル名とを対応付けて記憶する。
【００２４】
制御部２３は、ＣＰＵ２３ａが制御プログラムに従って動作することによって、図６に示すように、撮像処理部２３１と、図示しないリモコン送信機からの送信信号に応じて所定の指示を発するリモートコントロール処理部２３２と、ネットワーク処理部２３３と、表情検出および注視時間を検出する表情・注視時間検出部２３４と、視聴履歴データに対する処理を行う視聴履歴処理部２３５と、番組表データに対する処理を行う番組表処理部２３６と、番組提案処理を行う番組提案処理部２３７とを実現する。
【００２５】
ネットワーク処理部２３３は、入出力端子３３（図２）を介して外部のネットワーク３４にアクセスする通信を制御する。ネットワーク３４（図２）には、各種サービスを提供する複数（図２の場合は２つ）の外部ネットワークサーバ３５、３６が接続されている。これにより、ネットワーク処理部２３３は、外部ネットワークサーバ３５、３６から提供されるサービスを利用可能である。
【００２６】
撮像処理部２３１は、カメラ装置６０で撮像された視聴者の顔画像を表情・注視時間検出部２３４に送る。表情・注視時間検出部２３４は、顔画像に基づいて検出した表情データおよび注視時間のデータを視聴履歴処理部２３５へ送り、表情データを番組提案処理部２３７へ送る。表情・注視時間検出部２３４はさらに、表情データを表情履歴データベース３０１へ記憶させ、表情履歴ＩＤを視聴履歴処理部２３５へ送る。
【００２７】
番組表処理部２３６は、入力信号処理部１６で分離されたＥＩＴ（番組表データ）を取得して番組表データベース３０３に格納する。なお、ＥＩＴ（番組表データ）をネットワーク３４経由で取得するものであってもよい。ＥＩＴ（番組表データ）の取得先は、視聴者による設定に従う。番組表処理部２３６は、ＥＩＴ（番組表データ）のキーワード検索機能を有しており、指定のキーワードと一致するＥＩＴ（番組表データ）を検索し、検索でヒットした番組に絞り込んで番組表データを番組表データベース３０３に供給することができる。
【００２８】
視聴履歴処理部２３５は、視聴者が番組を視聴中のチューナ情報、チャンネル情報、番組情報、視聴時間、視聴者の表情、注視時間などの視聴履歴データを生成する。そして、所定の条件（例えば、視聴時間が当該番組の開始時刻から終了時刻までの時間の８０％を超える）で番組視聴成立と判断すると、その視聴履歴データを視聴履歴データベース３０２に登録する。
【００２９】
番組提案処理部２３７は、視聴履歴データベース３０２に格納されている視聴履歴データを１件ずつ、番組表データとの間で照合処理を行いながら、視聴者に推奨する推奨番組を番組表の中から抽出する。具体的には、番組提案処理部２３７は、過去に視聴者が視聴した番組のうち、番組視聴中の視聴者の表情が表情・注視時間検出部２３４によって現在検出されている視聴者の表情と一致する視聴番組であって、かつ、その視聴時間において注視時間の占める比率が所定値（例えば８０％）以上であった視聴番組を視聴履歴データの中から検出する。
【００３０】
番組提案処理部２３７はさらに、上記検出した過去の視聴番組の続編番組、および上記検出した過去の視聴番組と同ジャンルの番組を、推奨番組として番組表の中から抽出する。そして番組提案処理部２３７は、抽出した推奨番組の番組データに基づいて番組提案メッセージであるＯＳＤデータを作成し、ＯＳＤ信号生成部１９に送る。番組提案メッセージは、例えばリスト状に構成し、推奨番組を並べて提案する。
【００３１】
ここで、番組提案処理部２３７が行う上記提案処理は、１日のうちでデジタルテレビジョン１を最初に起動する際に、当日の全ての番組表データを対象に行なう。また、起動後の番組視聴中の間は、現時刻から所定時間先の番組表データのみを対象に毎分行なう。
【００３２】
すなわち、出力信号処理部２１は、入力信号処理部１６から送られる映像音声データ、および番組提案処理部２３７で作成された番組提案メッセージであるＯＳＤデータを結合処理したのち、映像出力および音声出力にそれぞれのデータを送る。
【００３３】
図７は、ＬＣＤパネル３の画面に表示された番組提案メッセージ７１を例示する図である。図７において、番組提案メッセージ７１は、視聴中の番組映像に重ねてＬＣＤパネル３に表示される。番組提案メッセージ７１には、推奨番組の内容（放送日時、チャンネル、タイトル、番組ジャンルなど）が番組表データベース３０３に格納されたＥＩＴ（番組表データ）に基づいて含められる。
【００３４】
また、番組提案メッセージ７１には、提案された番組を視聴者が視聴するか否かを意思表示するためのボタン７２、７３も表示される。視聴者は、操作部２４やリモコン送信機（不図示）を操作してボタン７２またはボタン７３を選択することによって意思表示が可能である。
【００３５】
提案する番組が複数ある場合の番組提案メッセージ７１には、複数の推奨番組がリスト表示される。この場合、例えば上記続編番組を上位に表示し、次いで上記同ジャンルの番組を表示する。視聴者は、操作部２４やリモコン送信機（不図示）を操作してカーソル７４を移動させて目当ての番組を選び、ボタン７２を選択操作することによって視聴の意思表示を行う。
【００３６】
なお、提案する番組が複数ある場合において、番組提案メッセージ７１にリスト表示する推奨番組を、放送時刻が早いものから順番に並べるように構成してもよい。リストの順番は、上記番組提案処理部２３７が決定する。
【００３７】
リモートコントロール処理部２３２は、図示しないリモコン送信機から送信され受信部２６で受信したリモートコントロールコードに基づいて、電源オン／オフ、チューナ切替やチャンネル切替（チャンネルを繰り返し切り替えるような所謂ザッピング操作を含む）を入力信号処理部１６に指示する。なお、制御部２３は、デジタルテレビジョン１の本体に設置された操作部２４からの操作情報を受けても、その操作内容を反映するように各部をそれぞれ制御する。
【００３８】
例えば、制御部２３は、視聴者による操作部２４やリモコン送信機（不図示）の操作に応じて、復調復号部１５から得られるデジタルの映像信号および音声信号を、記録再生処理部２９によって暗号化し所定の記録フォーマットに変換した後、ＨＤＤ３０に供給してハードディスクの番組保存領域に記録させるように制御することができる。
【００３９】
また、制御部２３は、視聴者による操作部２４やリモコン送信機（不図示）の操作に応じて、ＨＤＤ３０の番組保存領域からデジタルの映像信号および音声信号を読み出させ、記録再生処理部２９によって復号化した後、入力信号処理部１６に供給することによって、映像出力および音声再生に供させるように制御することができる。
【００４０】
なお、制御部２３は、視聴者による操作部２４やリモコン送信機（不図示）の操作に応じて、復調復号部１５から得られるデジタルの映像信号および音声信号を、記録再生処理部２９によって暗号化し所定の記録フォーマットに変換した後、ディスクドライブ部２７に供給して光ディスク２８に記録させるように制御することもできる。
【００４１】
さらにまた、制御部２３は、視聴者による操作部２４やリモコン送信機（不図示）の操作に応じて、ディスクドライブ部２７により光ディスク２８からデジタルの映像信号および音声信号を読み出させ、上記記録再生処理部２９によって復号化した後、入力信号処理部１６に供給することによって、映像出力および音声再生に供させるように制御することもできる。
【００４２】
デジタルテレビジョン１に設けられている入力端子３１は、デジタルテレビジョン１の外部からデジタルの映像信号および音声信号を直接入力するための端子である。この入力端子３１を介して入力されたデジタルの映像信号および音声信号は、制御部２３の制御に基づいて、記録再生処理部２９を介した後、入力信号処理部１６に供給されて、映像出力および音声再生に供される。入力端子３１を介して入力されたデジタルの映像信号および音声信号は、制御部２３の制御に基づいて、記録再生処理部２９を介した後、ディスクドライブ部２７による光ディスク２８に対しての記録／再生や、ＨＤＤ３０によるハードディスクに対しての記録／再生に供される。
【００４３】
制御部２３は、視聴者による操作部２４やリモコン送信機（不図示）の操作に応じて、ディスクドライブ部２７とＨＤＤ３０との間で、光ディスク２８に記録されているデジタルの映像信号および音声信号をＨＤＤ３０の番組保存領域に記録したり、ＨＤＤ３０の番組保存領域に記録されているデジタルの映像信号および音声信号を光ディスク２８に記録したりする制御も行う。
【００４４】
以上説明した実施形態によれば、次の作用効果が得られる。
（１）デジタルテレビジョン１は、番組の放送信号を入力する入力信号処理部１６と、番組に関するイベント情報である番組表データを取得する制御部２３（番組表処理部２３６）と、入力信号処理部１６から入力された放送信号を処理した番組の映像信号をＬＣＤパネル３へ出力する出力信号処理部２１と、ＬＣＤパネル３に表示された番組を視聴する人物の顔を撮像するカメラ装置６０と、カメラ装置６０で撮像された画像に基づいて、顔の表情を検出する制御部２３（表情・注視時間検出部２３４）と、人物がＬＣＤパネル３に表示された番組を視聴した時に制御部２３（表情・注視時間検出部２３４）で検出された表情に対応付けて、当該視聴された番組を視聴履歴として記憶するＨＤＤ３０と、ＨＤＤ３０に記憶された視聴済み番組のうち、対応付けられている表情が制御部２３（表情・注視時間検出部２３４）によって現在検出されている表情と一致する視聴済み番組を検出し、検出した視聴済み番組の続編となる番組、および検出した視聴済み番組と同ジャンルの番組を、制御部２３（番組表処理部２３６）で取得された番組表データから抽出する制御部２３（番組提案処理部２３７）と、制御部２３（番組提案処理部２３７）で抽出された番組の視聴を提案する制御部２３と、を備える。これにより、視聴者の現在の気分あるいは興味に合致する番組の視聴を提案できる。
【００４５】
（２）上記（１）のデジタルテレビジョン１において、番組を視聴する人物の視線がＬＣＤパネル３に向いているか否かを検出する制御部２３（表情・注視時間検出部２３４）をさらに備え、ＨＤＤ３０はさらに、視聴された番組の視聴時間のうち視聴する人物の視線がＬＣＤパネル３に向いていた注視時間を視聴履歴に記憶し、制御部２３（番組提案処理部２３７）は、ＨＤＤ３０に記憶された視聴済み番組のうち、対応付けられている表情が制御部２３（表情・注視時間検出部２３４）によって現在検出されている表情と一致する視聴済み番組であって、かつ、その視聴時間において注視時間の占める比率が所定値以上であった視聴済み番組を検出し、検出した視聴済み番組の続編となる番組、および検出した視聴済み番組と同ジャンルの番組を、制御部２３（番組表処理部２３６）で取得された番組表データから抽出するようにした。これにより、視聴者が注視する可能性が高い番組を提案できる。
【００４６】
（変形例１）
上述したデジタルテレビジョン１において、番組視聴中にカメラ装置６０で撮像された視聴者の顔の画像から検出された笑顔の出現回数を示すデータを、表情履歴データベース３０１に含めるようにしてもよい。すなわち、変形例１の場合の表情履歴データベース３０１は、番組視聴時に所定時間ごとに検出された表情データと、視聴時間内の笑顔出現回数と、その表情履歴データのＩＤ（表情履歴ＩＤ）とを対応付けて記憶する表情テーブル３０１１を有する蓄積型のデータベースとする。
【００４７】
そして、変形例１の場合の番組提案処理部２３７は、提案する番組が複数ある場合において、笑顔の出現回数がより多かった過去の視聴番組の続編番組、および笑顔の出現回数がより多かった過去の視聴番組と同ジャンルの番組を、提案メッセージ７１のリスト上位に並べる。変形例１によれば、視聴者が視聴すると笑顔になる可能性が高い番組を提案し得る。
【００４８】
（変形例２）
上述した実施形態において番組提案処理部２３７は、過去に視聴者が視聴した番組のうち、番組視聴中の視聴者の表情が表情・注視時間検出部２３４によって現在検出されている視聴者の表情と一致する過去の視聴番組であって、かつ、その視聴時間において注視時間の占める比率が所定値（例えば８０％）以上であった過去の視聴番組を視聴履歴データの中から検出し、上記検出した過去の視聴番組の続編番組、および上記検出した過去の視聴番組と同ジャンルの番組を、推奨番組として番組表の中から抽出するようにした。この代わりに、過去の視聴時間において注視時間の占める比率に基づく判断を省略してもよい。
【００４９】
すなわち、変形例２の場合の番組提案処理部２３７は、過去に視聴者が視聴した番組のうち、番組視聴中の視聴者の表情が表情・注視時間検出部２３４によって現在検出されている視聴者の表情と一致する過去の視聴番組を視聴履歴データの中から検出し、上記検出した過去の視聴番組の続編番組、および上記検出した過去の視聴番組と同ジャンルの番組を、推奨番組として番組表の中から抽出する。このような変形例２の場合でも、視聴者の現在の気分あるいは興味に合致する番組を提案し得る。
【００５０】
（変形例３）
上述した番組提案処理部２３７は、上記検出した過去の視聴番組の続編番組、および上記検出した過去の視聴番組と同ジャンルの番組を、推奨番組として番組表の中から抽出する例を説明した。この代わりに、上記検出した過去の視聴番組の続編番組のみ、または上記検出した過去の視聴番組と同ジャンルの番組のみを推奨番組として番組表の中から抽出するようにしてもよい。このような変形例３の場合でも、視聴者の現在の気分あるいは興味に合致する番組を提案し得る。
【００５１】
（変形例４）
上述したデジタルテレビジョン１において、番組提案処理部２３７が、これから放送される番組の中から推奨番組を提案する例を説明した。この代わりに、複数の放送局から所定の期間（例えば１日分）に放送された番組の全て（複数の放送局から放送された全ての番組の放送信号（ＥＩＴを含む））をあらかじめＨＤＤ３０の番組保存領域に保存しておき、これら保存した複数放送局による全番組の中から推奨番組を提案するように構成してもよい。変形例４によれば、放送前でなく放送後であっても、視聴者の現在の気分あるいは興味に合致する番組を提案し得る。
【００５２】
（変形例５）
上述したデジタルテレビジョン１においてカメラ装置６０によって取得された視聴者の顔の画像に基づいて視聴者を識別する機能を加え、視聴者ごとに、上記視聴履歴ＤＢ３０２および表情履歴ＤＢ３０１を設けるように構成してもよい。これにより、複数の異なる視聴者がデジタルテレビジョン１を視聴する場合でも、視聴者ごとに異なる推奨番組を提案できる。
【００５３】
以上の説明はあくまで一例であり、上記の実施形態の構成に何ら限定されるものではない。
【符号の説明】
【００５４】
１…デジタルテレビジョン
３…ＬＣＤパネル
１４…チューナ部
１６…入力信号処理部
１７…合成処理部
１９…ＯＳＤ信号生成部
２０…映像処理部
２１…出力信号処理部
２３…制御部
３０…ＨＤＤ
【図１】
2014150434.tif 000003
【図２】
2014150434.tif 000004
【図３】
2014150434.tif 000005
【図４】
2014150434.tif 000006
【図５】
2014150434.tif 000007
【図６】
2014150434.tif 000008
【図７】
2014150434.tif 000009